(57)【要約】【課題】  フリップ１０２を閉じた状態で使用する骨伝導スピーカ１０６が、フリップ１０２を閉じると通話終了となる機能によって、使用不能となることを回避する。【解決手段】  ユーザは、キー入力受付部２０８で骨伝導スピーカ１０６を使用する使用モードか使用しない使用不能モードかのいずれかを選択する。制御部２０４は、キー入力受付部２０８からその選択の通知を受け、使用モード又は使用不能モードを設定する。使用モードを設定したときは、開閉検出部２０６で検出されるフリップ１０２の閉検出がされても、通話を終了しない通話終了オフを設定する。使用不能モードを設定したときは、閉検出で通話を終了する通話終了オンを設定する。制御部２０４は、通話中に開閉検出部２０６から閉状態を通知されると、使用モードのとき、骨伝導スピーカ１０６へ出力を切り換えるよう音声制御回路２０５に指示する。【選択図】  図３
2005175972.tif 000002
【特許請求の範囲】
【請求項１】
第１筐体を開いた状態で使用されるレシーバスピーカと第１筐体を閉じた状態で使用される骨伝導スピーカとを搭載する携帯電話機であって、
第１筐体の開閉を検出する開閉検出手段と、
骨伝導スピーカを使用可能とする使用モードと骨伝導スピーカを使用不能とする使用不能モードとのいずれかに設定をするモード設定手段と、
通話中に前記検出手段により第１筐体が閉状態となったことが検出されたとき、通話を終了する通話終了手段と、
使用モードに設定されている場合に、前記開閉検出手段で閉状態が検出されたとき、前記通話終了手段の動作を禁止する禁止手段とを備えることを特徴とする携帯電話機。
【請求項２】
ユーザの指示を受け付け、前記モード設定手段で設定された使用モード又は使用不能モードを変更し、使用不能モードが設定されているときにも前記禁止手段を起動する変更手段を更に備えることを特徴とする請求項１記載の携帯電話機。
【請求項３】
第１筐体を開いた状態で使用されるレシーバスピーカと第１筐体を閉じた状態で使用される骨伝導スピーカとを搭載する携帯電話機の骨伝導スピーカの使用方法であって、
第１筐体の開閉を検出する開閉検出ステップと、
骨伝導スピーカを使用可能とする使用モードと骨伝導スピーカを使用不能とする使用不能モードとのいずれかに設定をするモード設定ステップと、
通話中に第１筐体が閉状態となったことが検出されたとき、通話を終了する通話終了ステップと、
前記モード設定ステップで使用モードが設定されている場合に、前記開閉検出ステップで閉状態が検出されたとき、前記通話終了ステップの動作を禁止する禁止ステップとを有することを特徴とする骨伝導スピーカの使用方法。
【請求項４】
第１筐体を開いた状態で使用されるレシーバスピーカと第１筐体を閉じた状態で使用される骨伝導スピーカとを搭載する携帯電話機の骨伝導スピーカの使用プログラムであって、
第１筐体の開閉を検出する開閉検出ステップと、
骨伝導スピーカを使用可能とする使用モードと骨伝導スピーカを使用不能とする使用不能モードとのいずれかに設定をするモード設定ステップと、
通話中に第１筐体が閉状態となったことが検出されたとき、通話を終了する通話終了ステップと、
前記モード設定ステップで使用モードが設定されている場合に、前記開閉検出ステップで閉状態が検出されたとき、前記通話終了ステップの動作を禁止する禁止ステップとの各ステップをコンピュータに実行させることを特徴とする骨伝導スピーカの使用プログラム。
【発明の詳細な説明】
【技術分野】
【０００１】
本発明は、携帯電話機に関し、特に、折り畳んだ状態で骨伝導スピーカでの通話を可能にする携帯電話機に関する。
【背景技術】
【０００２】
従来の折り畳み携帯電話機で、着信が発生した場合に、釦を押下する代わりに、第１筐体を開くことで着信応答する機能や、通話中に第１筐体を閉じることで通話を終了する通話終了機能は、よく知られている。
これに加えて、第１筐体を閉じた状態で使用できるように外表面に第２のスピーカを備えている場合、第１筐体を開いた状態では第１のスピーカを使用し、第１筐体を閉じた状態では第２のスピーカを使用して通話することが可能となる。
【０００３】
折り畳み携帯電話機では、開いた状態で通話するのが通常であるが、ユーザの利便性を考えて、折り畳んだ状態でも通話が可能となる携帯電話機が提案されている（例えば、特許文献１、２）。
【特許文献１】特開２００３−８７３７２号公報
【特許文献２】特開２００３−８７３７９号公報
【発明の開示】
【発明が解決しようとする課題】
【０００４】
しかし、第２のスピーカで通話しようとして、第１筐体を閉じてしまうと、上述の通話終了機能が働き、第２のスピーカでの通話ができなくなるという競合動作が発生してしまう。
そこで、本発明は、上記課題に鑑みなされたものであり、第１筐体を閉じても第２のスピーカである骨伝導スピーカで通話することが可能であり、かつ、骨伝導スピーカを使用しないときには、第１筐体を閉じれば通話終了の機能が働く、使い勝手のよい折り畳み携帯電話を提供することを目的とする。
【０００５】
なお、本発明は、周囲の環境が騒音の大きな場所でも相手の話を聞くことが可能となることを第２の目的とする。
【課題を解決するための手段】
【０００６】
上記課題を解決するため、本発明は、第１筐体を開いた状態で使用されるレシーバスピーカと第１筐体を閉じた状態で使用される骨伝導スピーカとを搭載する携帯電話機であって、第１筐体の開閉を検出する開閉検出手段と、骨伝導スピーカを使用可能とする使用モードと骨伝導スピーカを使用不能とする使用不能モードとのいずれかに設定をするモード設定手段と、通話中に前記検出手段により第１筐体が閉状態となったことが検出されたとき、通話を終了する通話終了手段と、使用モードに設定されている場合に、前記開閉検出手段で閉状態が検出されたとき、前記通話終了手段の動作を禁止する禁止手段とを備えることとしている。
【発明の効果】
【０００７】
上述のような構成によって、骨伝導スピーカの使用モードか、使用不能モードかとによって、第１筐体の折り畳み動作に連動して通話終了機能を制御して、使い勝手がよく、かつ、騒音環境下でも使用可能な携帯電話機を得ることができる。
また、ユーザの指示を受け付け、前記モード設定手段で設定された使用モード又は使用不能モードを変更し、使用不能モードが設定されているときにも前記禁止手段を起動する変更手段を更に備えることとしている。
【０００８】
このような構成によって、ユーザの指示に従い、使用モードや使用不能モードを変更し、使用不能モードが設定されていても、前記禁止手段を起動して通話を終了しないようにすることができる。
また、第１筐体を開いた状態で使用されるレシーバスピーカと第１筐体を閉じた状態で使用される骨伝導スピーカとを搭載する携帯電話機の骨伝導スピーカの使用方法であって、第１筐体の開閉を検出する開閉検出ステップと、
骨伝導スピーカを使用可能とする使用モードと骨伝導スピーカを使用不能とする使用不能モードとのいずれかに設定をするモード設定ステップと、通話中に第１筐体が閉状態となったことが検出されたとき、通話を終了する通話終了ステップと、前記モード設定ステップで使用モードが設定されている場合に、前記開閉検出ステップで閉状態が検出されたとき、前記通話終了ステップの動作を禁止する禁止ステップとを有することとしている。
【０００９】
このような方法によって、骨伝導スピーカの使用モードのときには、第１筐体が閉状態となったときにも通話を骨伝導スピーカで継続して行うことができる。
また、第１筐体を開いた状態で使用されるレシーバスピーカと第１筐体を閉じた状態で使用される骨伝導スピーカとを搭載する携帯電話機の骨伝導スピーカの使用プログラムであって、第１筐体の開閉を検出する開閉検出ステップと、骨伝導スピーカを使用可能とする使用モードと骨伝導スピーカを使用不能とする使用不能モードとのいずれかに設定をするモード設定ステップと、通話中に第１筐体が閉状態となったことが検出されたとき、通話を終了する通話終了ステップと、前記モード設定ステップで使用モードが設定されている場合に、前記開閉検出ステップで閉状態が検出されたとき、前記通話終了ステップの動作を禁止する禁止ステップとの各ステップをコンピュータに実行させることとしている。
【００１０】
このような使用プログラムを骨伝導スピーカを有する携帯電話機に適用して上記と同様の効果を発揮させることができる。
【発明を実施するための最良の形態】
【００１１】
以下、本発明に係る携帯電話機の実施の形態について、図面を用いて説明する。
（一実施の形態）
図１は、本発明に係る折り畳み携帯電話機の第１筐体であるフリップを閉じて折り畳んだ状態の一実施の形態の斜視図である。
この折り畳み携帯電話機は、第２筐体である本体ケース１０１と第１筐体であるフリップ１０２とがヒンジ１０３によって開閉自在に連設されている。
【００１２】
本体ケース１０１の上端面から伸縮自在のアンテナ１０４が突設され、下端面付近にノッチ１０５が形成されている。ノッチ１０５のフリップ１０２で覆われた部分には、マイクが配置されている。
フリップ１０２のアンテナ１０４側には、骨伝導スピーカ１０６が設けられており、フリップの中央部にはサブ表示部１０７が設けられている。更に、サブ表示部１０７の骨伝導スピーカ１０６から離反する方向に外部操作キー１０８が設けられている。
【００１３】
なお、メイン表示部は、フリップ１０２を開いた状態でフリップ１０２前面に、また、レシーバスピーカは、フリップ１０２のノッチ１０５に対向する位置にそれぞれ設けられている。
図２は、フリップ１０２を開いた状態の折り畳み携帯電話機の斜視図である。本体ケース１０１のほぼ全面に操作キー群２０１が配置されている。ノッチ１０５にはマイク２１２が設けられている。フリップ１０２を閉じたときにも、このマイク２１２は、骨伝導スピーカ１０６とともに用いられる。閉じた状態でもノッチ１０５が形成されているので、効率的に集音される。
【００１４】
フリップ１０２のほぼ全面にメイン表示部２１１が設けられている。メイン表示部２１１の本体ケース１０１から離反する方向にレシーバスピーカ２１０が設けられている。
図３は、この折り畳み携帯電話機の構成図である。
折り畳み携帯電話機は、アンテナ１０４と、無線回路２０２と、信号処理回路２０３と、制御部２０４と、音声制御回路２０５と、開閉検出部２０６と、メモリ２０７と、キー入力受付部２０８と、ＬＣＤ表示制御部２０９と、レシーバスピーカ２１０と、骨伝導スピーカ１０６と、マイク２１２とを備えている。
【００１５】
アンテナ１０４は、基地局（図示せず）から送信される電波を受信し、無線回路２０２に通知する。また、無線回路２０２から通知された信号を基地局に送信する。
無線回路２０２は、アンテナ１０４から通知された電波をダウンコンバートし、信号処理回路２０３に通知する。信号処理回路２０３から通知された信号をアップコンバートし、アンテナ１０４に通知する。
【００１６】
信号処理回路２０３は、無線回路２０２から通知された信号を通信に必要な信号処理を行い、音声信号のみを音声制御回路２０５に通知し、制御信号を制御部２０４に通知する。また、音声制御回路２０５から通知されるデジタル信号を通信に適したタイミング、フォーマットに整形し、無線回路２０２に通知する。
制御部２０４は、ＣＰＵで構成され、この折り畳み携帯電話機の各部を制御し、メモリ２０７に記録されたプログラムに従い、ＣＰＵが動作する。
【００１７】
制御部２０４は、キー入力受付部２０８からユーザが骨伝導スピーカの使用をする使用モード又は使用をしない使用不能モードのいずれを選択するかの通知を受け、使用モード又は使用不能モードを設定する。
制御部２０４は、また、フリップ１０２の開閉検出による通話状態の開始又は終了を制御する。キー入力受付部２０８から使用モードを通知されているときには、閉状態を開閉検出部２０６から通知されても、通話状態を終了しない通話終了オフを設定する。使用不能モードを通知されているときには、閉状態を通知されたとき、通話状態を終了する通話終了オンを設定する。
【００１８】
制御部２０４は、開閉検出部２０６から閉状態を通知された場合、信号処理回路２０３から制御信号の通知又は音声制御回路２０５から音声信号の通知を受けているとき、即ち、通話状態にあるとき、使用モードを設定しているときには、レシーバスピーカ２１０から骨伝導スピーカ１０６への音声出力の切換えを音声制御回路２０５に指示する。使用不能モードを設定しているときには、通話状態を終了する。
【００１９】
なお、通話状態にあるか否かは、キー入力受付部２０８から通知される発呼開始キーや通話終了キーの操作信号で判断してもよい。
音声制御回路２０５は、信号処理回路２０３から通知される音声信号をデジタル／アナログ変換し、制御部２０４から指示されるレシーバスピーカ２１０又は骨伝導スピーカ１０６に出力する。また、マイク２１２から通知される音声信号をアナログ／デジタル変換し、信号処理回路２０３と制御部２０４とに通知する。
【００２０】
開閉検出部２０６は、フリップ１０２の開閉を検出し、制御部２０４に通知する。
メモリ２０７は、ＲＯＭ等から形成され、折り畳み携帯電話機の制御プログラムを記憶している。
キー入力受付部２０８は、数字キーやその他の操作キーを有し、発呼時の相手番号の入力や発呼開始キー、通話終了キー等の操作をユーザから受け、その操作信号を制御部２０４に通知する。
【００２１】
ＬＣＤ表示制御部２０９は、ＬＣＤからなるサブ表示部１０７と、メイン表示部とに各種情報を表示させる。
レシーバスピーカ２１０は、通常のスピーカであり、フリップ１０２の開状態で使用される。音声制御回路２０５から通知される音声信号を音声として出力する。
骨伝導スピーカ１０６は、骨から伝わる骨導音により、鼓膜以外から音を伝えるスピーカである。骨伝導スピーカ１０６は、音声制御回路２０５から通知される音声信号を振動として出力する。骨伝導スピーカ１０６を耳の周囲に当てて、相手の音声を聞くことができる。したがって、騒音の大きい場所であっても相手の音声が聞き取れ、又、鼓膜の障害による難聴者にも音声の聞き取りが可能となる。骨伝導スピーカ１０６は、骨伝導スピーカを使用する使用モードが設定されているとき、フリップ１０２を閉状態にして使用することができる。
【００２２】
マイク２１２は、ユーザの音声を集音し、音声信号を音声制御回路２０５に通知する。
次に、本実施の形態の動作を図４、図５のフローチャートを用いて説明する。
図４は、骨伝導スピーカを使用するか否かの使用モード又は使用不能モードの設定動作を説明するフローチャートである。
先ず、ユーザは、メイン表示部のメニュー画面からモード設定の選択をし、使用モード又は使用不能モードを選択する。この選択は、キー入力受付部２０８から制御部２０４に通知される（Ｓ３０２）。
【００２３】
使用モードが選択されたとき、制御部２０４は、使用モードを設定するとともに、フリップ１０２の閉検出に伴う通話終了制御をオフに設定する（Ｓ３０４）。これによって、通話中にフリップ１０２の閉検出がなされても、通話終了となることが禁止され、骨伝導スピーカで継続して通話をすることができる。
制御部２０４は、使用不能モードが選択されたとき、フリップ１０２の閉検出に伴う通話終了制御をオンに設定し（Ｓ３０６）、処理を終了する。これによって、骨伝導スピーカ１０６を使用しないときは、フリップ１０２が閉状態にされることで、通話が終了する。
【００２４】
図５は、通話中の骨伝導スピーカでの切り換え動作を説明するフローチャートである。
先ず、制御部２０４は、ユーザがレシーバスピーカ２１０とマイク２１２とを介して通話中であるのを待って（Ｓ４０２）、開閉検出部２０６から閉状態の検出の通知を待つ（Ｓ４０４）。閉状態の通知があれば、骨伝導スピーカに使用モードが設定されているか否かを判定する（Ｓ４０６）。
【００２５】
使用モードが設定されていれば、音声制御回路２０５にレシーバスピーカ２１０への出力から骨伝導スピーカ１０６への出力に切り換えるよう指示する。ユーザは、骨伝導スピーカ１０６で通話を継続し（Ｓ４０８）、処理を終了する。
Ｓ４０６において、使用不能モードが設定されていたときは、音声制御回路２０５、信号処理回路２０３等に通話を切断するよう指示し、通話を終了する（Ｓ４１０）。
【００２６】
このように、骨伝導スピーカ１０６に使用モードが設定されているときには、フリップ１０２を折り畳み、閉じた状態にしたときに、通話を終了する通話終了オンの機能を劣後する処理によって、骨伝導スピーカ１０６の使用を円滑にすることができる。
なお、上記実施の形態では、ユーザが骨伝導スピーカ１０６を使用する使用モードの設定、又は使用をしない使用不能モードの設定とフリップ１０２の閉状態検出による通話終了機能とを連動させたけれども、ユーザのマニュアル操作によって変更できるようにしてもよい。
【００２７】
図６（ａ）は、骨伝導スピーカに使用モードが設定されているときのモードを変更する第１選択画面を示している。第１選択画面５０１は、メイン表示部に例えば、メニュー画面からモード切換えを選択して表示される。
ユーザは、「１」５０２又は「２」５０３を選択して、モードをそのまま、又は変更することができる。
【００２８】
キー入力受付部２０８は、「１」５０２が選択されると、制御部２０４に通知する。制御部２０４は、既に骨伝導スピーカに使用モードが設定されており、閉検出がされても通話終了をしない通話終了オフを設定しているので、何もしない。
制御部２０４は、キー入力受付部２０８から「２」５０３の通知を受けると、閉検出で通話終了となる通話終了オンを設定し、骨伝導スピーカに使用不能モードを設定する。
【００２９】
ユーザは、一旦設定した使用モードを使用不能モードに変更することができる。
図６（ｂ）は、骨伝導スピーカに使用不能モードが設定されているときのモードを変更する第２選択画面を示している。第２選択画面５０４も同様にメイン表示部に表示される。
キー入力受付部２０８は、「１」５０５をユーザに選択されると、制御部２０４に通知する。
【００３０】
制御部２０４は、既に骨伝導スピーカに使用不能モードが設定されており、閉検出で通話終了オンが設定されているので何もしない。
制御部２０４は、「２」５０６の通知をされると、骨伝導スピーカに使用不能モードを設定したまま、閉検出で通話終了オフを設定する。この「２」５０６の選択によると、フリップ１０２を閉じても、通話状態は終了しないが、骨伝導スピーカの使用をすることはできない。
【００３１】
また、上記実施の形態では、携帯電話機の第１筐体をフリップ１０２として説明したけれども、第１筐体がスライド式や回転式の携帯電話機であって、スライド、回転させたとき、レシーバスピーカに替えて骨伝導スピーカを使用できる状態のとき、通話終了機能をそのスライドや回転に連動して制御できるのは勿論である。
また、上記実施の形態では、図２にその構成図を示したけれども、各構成要素の機能をコンピュータに発揮させるプログラムで実現するようにしてもよい。
【産業上の利用可能性】
【００３２】
本発明に係る折り畳み携帯電話機は、その使い勝手のよさから情報通信分野で活用され、折り畳み携帯電話機の製造、販売を活発化させる。
【図面の簡単な説明】
【００３３】
【図１】本発明に係る携帯電話機の一実施の形態の斜視図である。
【図２】上記実施の形態の折り畳みを開いた状態の携帯電話機の斜視図である。
【図３】上記実施の形態の構成図である。
【図４】上記実施の形態の骨伝導スピーカの使用モードの設定動作を説明するフローチャートである。
【図５】上記実施の形態の通話中の動作を説明するフローチャートである。
【図６】（ａ）、（ｂ）は、上記実施の形態の使用モードの変更をユーザから受け付ける際の表示部に表示される画面例を示す図である。
【符号の説明】
【００３４】
１０１  本体ケース
１０２  フリップ
１０３  ヒンジ
１０４  アンテナ
１０５  ノッチ
１０６  骨伝導スピーカ
１０７  サブ表示部
１０８  外部操作キー
２０１  操作キー群
２０２  無線回路
２０３  信号処理回路
２０４  制御部
２０５  音声制御回路
２０６  開閉検出部
２０７  メモリ
２０８  キー入力受付部
２０９  ＬＣＤ表示制御部
２１０  レシーバスピーカ
２１１  メイン表示部
２１２  マイク
【図１】
2005175972.tif 000003
【図２】
2005175972.tif 000004
【図３】
2005175972.tif 000005
【図４】
2005175972.tif 000006
【図５】
2005175972.tif 000007
【図６】
2005175972.tif 000008